(57)【要約】【課題】使い勝手を格段に向上させて、非接触ＩＣカードに対するデータの書込み及び／又は非接触ＩＣカードからのデータの読出しを行い得るようにする。【解決手段】クリップ１０と上側筐体背面ＢＫとによって、非接触ＩＣカード２０をカード宛がわれ領域ＺＮに宛がった状態で挟着保持するようにしたことにより、ユーザは、従来のように非接触ＩＣカード２０をカード宛がわれ領域ＺＮに対して宛がい続けるような作業を行わなくて良い。この結果、使い勝手を格段に向上させて、非接触ＩＣカード２０に対するデータの書込み及び非接触ＩＣカード２０からのデータの読出しを行い得る携帯電話機１を実現することができる。【選択図】        図１
2004304634.tif 000002
【特許請求の範囲】
【請求項１】
非接触ＩＣカードに対するデータの書込み及び／又は上記非接触ＩＣカードからの上記データの読出しを行う携帯端末において、
上記非接触ＩＣカードとの間で無線を介して上記データの送受を行うデータ送受信部と、
上記非接触ＩＣカードを上記データ送受信部に近接させて保持する保持手段と
を具えることを特徴とする携帯端末。
【請求項２】
上記保持手段は、
上記非接触ＩＣカードを挟着保持する
ことを特徴とする請求項１に記載の携帯端末。
【発明の詳細な説明】
【０００１】
【発明の属する技術分野】
本発明は携帯端末に関し、例えば、非接触ＩＣカードに対するデータの書込み及び非接触ＩＣカードからのデータの読出しを行う携帯電話機に適用して好適なものである。
【０００２】
【従来の技術】
近年、携帯電話機においては、ＦｅｌｉＣａ（登録商標）等の非接触ＩＣカードに対してデータを書き込む機能や、当該非接触ＩＣカードからデータを読み出す機能を有するものがある（例えば、特許文献１）。
【０００３】
実際上、この種の携帯電話機においては、その筐体表面に非接触ＩＣカードが宛がわれるべき領域（以下、これをカード宛がわれ領域と呼ぶ）が予め設定されており、当該カード宛がわれ領域の直下には、非接触ＩＣカードとの間でデータを送受するためのループアンテナが内蔵されている。
【０００４】
従って携帯電話機は、筐体表面のカード宛がわれ領域に非接触ＩＣカードが宛がわれることによって、当該カード宛がわれ領域の直下に存在するループアンテナとかかる非接触ＩＣカードとが近接した状態になると、このループアンテナを介して非接触ＩＣカードとの間でデータの送受を行うようになされている。
【０００５】
【特許文献１】
特開２００１−５９２０公報（図１、図２）
【０００６】
【発明が解決しようとする課題】
ところで、このような携帯電話機を利用して、例えば非接触ＩＣカードからのデータの読出しを行う場合、ユーザは一方の手を用いて所定の読出操作を携帯電話機の操作部に対して行いながら、他方の手を用いて非接触ＩＣカードを携帯電話機のカード宛がわれ領域に宛がい続けなければならないので、必ずしも使い勝手が良いとは言い得なかった。
【０００７】
本発明は以上の点を考慮してなされたもので、使い勝手を格段に向上させて、非接触ＩＣカードに対するデータの書込み及び／又は非接触ＩＣカードからのデータの読出しを行い得る携帯端末を提案しようとするものである。
【０００８】
【課題を解決するための手段】
かかる課題を解決するために本発明においては、非接触ＩＣカードに対するデータの書込み及び／又は非接触ＩＣカードからのデータの読出しを行う携帯端末において、非接触ＩＣカードとの間で無線を介してデータの送受を行うデータ送受信部と、非接触ＩＣカードをデータ送受信部に近接させて保持する保持手段とを設けるようにした。
【０００９】
保持手段によって、非接触ＩＣカードとデータ送受信部とが近接した状態を維持することができる。
【００１０】
【発明の実施の形態】
以下図面について、本発明の一実施の形態を詳述する。
【００１１】
図１において、１は全体として携帯電話機を示し、上側筐体２と下側筐体３とがヒンジ部４を介して折り畳み可能に構成されている。
【００１２】
上側筐体２において、上端右側には、送受信用のアンテナ５が引出及び収容可能な状態で取り付けられており、正面上端部には、スピーカ６が設けられており、正面中央部には、液晶ディスプレイ等でなる表示部７が設けられている。また下側筐体３において、その正面中央部には、「０」〜「９」、「＃」及び「＊」キー等からなる操作部８が設けられており、正面下端部には、ユーザの音声等を集音するためのマイクロフォン９が設けられている。
【００１３】
一方、図１（Ｂ）に示すように、上側筐体３の背面（以下、これを上側筐体背面と呼ぶ）ＢＫにおいて、その中央部には、非接触ＩＣカードが宛がわれるべき領域（以下、これをカード宛がわれ領域と呼ぶ）ＺＮが予め設定されており、このカード宛がわれ領域ＺＮの直下には、非接触ＩＣカード２０との間でデータを送受するためのループアンテナ（後述する）が内蔵されている。
【００１４】
そして上側筐体背面ＢＫにおいて、カード宛がわれ領域ＺＮの下側には、非接触ＩＣカード２０を挟着保持するためのクリップ１０が設けられており、図２に示すように、このクリップ１０の上側から下側に向って非接触ＩＣカード２０が挿し込まれると、当該クリップ１０は、その付勢力によって非接触ＩＣカード２０を上側筐体背面ＢＫのカード宛がわれ領域ＺＮに対して押付けるようになされている。
【００１５】
この結果、非接触ＩＣカード２０は、カード宛がわれ領域ＺＮに宛がわれた状態で、クリップ１０と上側筐体背面ＢＫとによって挟着保持される。
【００１６】
次に、携帯電話機１の回路構成について図３を用いて説明する。携帯電話機１は、当該携帯電話機１全体を統括的に制御する制御部３０に対し、表示部７、操作部８、各種データが予め記憶されているメモリ３１、非接触ＩＣカード２０へデータを書き込む処理及び非接触ＩＣカード２０からデータを読み出す処理を行うための読出書込部３２、変復調部３３が接続されて構成されている。
【００１７】
変復調部３３に対しては、音声入力部３４を介してマイクロフォン９、音声出力部３５を介してスピーカ６が接続されていると共に、ＲＦ（Ｒａｄｉｏ  Ｆｒｅｑｕｅｎｃｙ）部３６が接続されている。このＲＦ部３６は、例えば、基地局からの電波をアンテナ５を介して受信し、この結果得られた受信信号を変復調部３３に対して送出する。そして変復調部３３は、当該受信信号に対して所定の復調処理を施すことにより音声データを生成し、当該生成した音声データに基づく音声をスピーカ６から出力するようになされている。
【００１８】
一方、読出書込部３２に対しては、カード宛がわれ領域ＺＮの直下に存在するループアンテナ３７が接続されている。
【００１９】
ここで例えば、上側筐体背面ＢＫのカード宛がわれ領域ＺＮに非接触ＩＣカード２０が宛がわれた状態、すなわち当該カード宛がわれ領域ＺＮ直下のループアンテナ３７と非接触ＩＣカード２０とが近接した状態で、ユーザにより操作部８を介して、非接触ＩＣカード２０へ所定のデータを書き込むための書込操作が行われると、制御部３０は、当該書込操作に応じた所定のデータ（以下、これを書込データと呼ぶ）Ｄ１をメモリ３１から読出してこれを読出書込部３２へ送出し、当該読出書込部３２は、この書込データＤ１に対して所定の変調処理を施した後これをループアンテナ３７から電磁波Ｗ１として送出する。
【００２０】
このとき、図４に示すように非接触ＩＣカード２０のデータ処理部４０は、かかる電磁波Ｗ１をループアンテナ４１を介して受信し、この結果得られた受信信号に対して所定の復調処理を施すこすことにより書込データＤ１を得て、これをメモリ４２に対して書き込むようになされている。
【００２１】
因みに非接触ＩＣカード２０は、例えば、携帯電話機１から送出された電磁波Ｗ１の磁界エネルギーを安定した直流電源に変換する電源回路（図示せず）を有しており、この電源回路によって非接触ＩＣカード２０内の各回路部に対する電力供給を行うようになされている。
【００２２】
また、上側筐体背面ＢＫのカード宛がわれ領域ＺＮに非接触ＩＣカード２０が宛がわれた状態で、ユーザにより操作部８を介して非接触ＩＣカード２０から所定のデータを読み出すための読出操作が行われると、制御部３０は、この所定のデータ（以下、これを読出対象データと呼ぶ）の送信を命令するための送信命令信号Ｓ１を生成してこれを読出書込部３２へ送出し、当該読出書込部３２は、かかる送信命令信号Ｓ１に対して所定の変調処理を施した後これをループアンテナ３７から電磁波Ｗ２として送出する。
【００２３】
このとき、図４に示すように非接触ＩＣカード２０のデータ処理部４０は、かかる電磁波Ｗ２をループアンテナ４１を介して受信し、この結果得られた受信信号に対して所定の復調処理を施すこすことにより送信命令信号Ｓ１を得た後、当該送信命令信号Ｓ１に応じた読出対象データＤ２をメモリ４２から読み出す。次に非接触ＩＣカード２０のデータ処理部４０は、かかる読出対象データＤ２に対して所定の変調処理を施した後、これをループアンテナ４１から電磁波Ｗ３として送出する。
【００２４】
携帯電話機１の読出書込部３２は、かかる電磁波Ｗ３をループアンテナ３７を介して受信し、この結果得られた受信信号に対して所定の復調処理を施すことにより読出対象データＤ２を得て、これを制御部３０へ送出する。そして制御部３０は、例えば、当該読出対象データＤ２の内容を表示部７に対して表示するようになされている。
【００２５】
以上の構成において、ユーザは、例えば非接触ＩＣカード２０から読出対象データＤ２を読み出すための読出操作を行う事前準備として、上側筐体背面ＢＫのクリップ１０に対して非接触ＩＣカード２０を挿し込むと、非接触ＩＣカード２０は、カード宛がわれ領域ＺＮに宛がわれた状態で、クリップ１０と上側筐体背面ＢＫとによって挟着保持される。これによりユーザは、非接触ＩＣカード２０から手を離してかかる読出操作を行うことができる。
【００２６】
以上の構成によれば、クリップ１０と上側筐体背面ＢＫとによって非接触ＩＣカード２０をカード宛がわれ領域ＺＮに宛がった状態で挟着保持するようにしたことにより、ユーザは、従来のように非接触ＩＣカード２０をカード宛がわれ領域ＺＮに宛がい続けるような作業を行わなくて良い。
【００２７】
この結果、使い勝手を格段に向上させて、非接触ＩＣカード２０に対するデータの書込み及び非接触ＩＣカード２０からのデータの読出しを行い得る携帯電話機１を実現することができる。
【００２８】
なお本実施の形態においては、クリップ１０と上側筐体背面ＢＫとによって、非接触ＩＣカード２０を挟着して保持するようにした。これにより、例えばユーザの歩行動作によって携帯電話機１が振動してしまう場合であっても、当該携帯電話機１から非接触ＩＣカード２０が容易に落下してしまうことを防止することができる。この結果、非接触ＩＣカード２０に対するデータの書込み及び非接触ＩＣカード２０からのデータの読出しを一段と確実に行い得る携帯電話機１を実現することができる。
【００２９】
また本実施の形態においては、クリップ１０と上側筐体背面ＢＫとによって非接触ＩＣカード２０を挟着保持するとき、図２に示すように、当該非接触ＩＣカード２０をカード宛がわれ領域ＺＮに密着させるようにしたので、携帯電話機１のループアンテナ３７と非接触ＩＣカード２０のループアンテナ４１とを最も近接させた状態にすることができる。これにより携帯電話機１は、非接触ＩＣカード２０との間におけるデータの送受を一段と確実に行うことができる。
【００３０】
なお上述の実施の形態においては、非接触ＩＣカード２０に対するデータの書込み及び／又は非接触ＩＣカード２０からのデータの読出しを行う携帯端末として、携帯電話機１を適用する場合について述べたが、本発明はこれに限らず、非接触ＩＣカード２０に対するデータの書込み及び／又は非接触ＩＣカード２０からのデータの読出しを行うことができれば、例えば、ＰＤＡ（Ｐｅｒｓｏｎａｌ  Ｄｉｇｉｔａｌ  Ａｓｓｉｓｔａｎｃｅ）等を適用するようにしても良い。
【００３１】
また上述の実施の形態においては、非接触ＩＣカード２０との間で無線を介してデータの送受を行うデータ送受信部として、携帯電話機１のループアンテナ３７を適用する場合について述べたが、本発明はこれに限らず、非接触ＩＣカード２０との間で無線を介してデータの送受を行うことができれば、この他種々のアンテナ等を適用するようにしても良い。
【００３２】
さらに上述の実施の形態においては、非接触ＩＣカード２０をデータ送受信部に近接させて保持する保持手段として、クリップ１０及び上側筐体背面ＢＫを適用する場合について述べたが、本発明はこれに限らず、例えば図５（Ａ）に示すように、非接触ＩＣカード２０の左下の角（以下、これを左下角と呼ぶ）を保持するためのカード保持部５０を、上側筐体背面ＢＫに設けるようにしても良い。
【００３３】
ここでこのカード保持部５０は、非接触ＩＣカード２０の左下角に対応した形状でなるカード挿入孔５１を有し、当該カード挿入孔５１によって非接触ＩＣカード２０の左下角を保持するようになされている。またこのカード保持部５０は、上側筐体背面ＢＫにおけるカード宛がわれ領域ＺＮの左下側に配置されている。これによりカード挿入孔５１に対して非接触ＩＣカード２０の左下角が挿入されると、図５（Ｂ）に示すように、当該非接触ＩＣカード２０は、必ずカード宛がわれ領域ＺＮと対向した位置で保持される。この結果、一段と確実に非接触ＩＣカード２０と携帯電話機１のループアンテナ３７とを近接させることができる。
【００３４】
【発明の効果】
上述のように本発明によれば、保持手段によって、非接触ＩＣカードとデータ送受信部とが近接した状態を維持することができる。これによりユーザは、非接触ＩＣカードに対してデータを書き込むための操作を行う際や、非接触ＩＣカードからデータを読み出すための操作を行う際、当該非接触ＩＣカードを携帯端末のデータ送受信部に対して宛がいつづける作業を行わなくて良い。この結果、使い勝手を格段に向上させて、非接触ＩＣカードに対するデータの書込み及び／又は非接触ＩＣカードからのデータの読出しを行い得る携帯端末を実現することができる。
【図面の簡単な説明】
【図１】本実施の形態における携帯電話機の外観構成を示す略線図である。
【図２】非接触ＩＣカードが挟着保持されている様子を示す略線図である。
【図３】携帯電話機の回路構成を示す略線図である。
【図４】非接触ＩＣカードの回路構成を示す略線図である。
【図５】他の実施の形態を示す略線図である。
【符号の説明】
１……携帯電話機、１０……クリップ、２０……非接触ＩＣカード、３７……ループアンテナ、ＢＫ……上側筐体背面。
【図１】
2004304634.tif 000003
【図２】
2004304634.tif 000004
【図３】
2004304634.tif 000005
【図４】
2004304634.tif 000006
【図５】
2004304634.tif 000007